(57)【要約】【課題】コンタクトイメージセンサにより読み取った画像でセンサの繋目に起因する異常画像（副走査黒すじ）を補正する。【解決手段】１．繋目に相当するアドレスの画素を其の両側の画素の平均値に置き換える。２．繋目に相当するアドレスの画素を其の両側の画素のどちらかの画素に置き換える。３．読み取りモードに応じて、置き換え方を変更する。【選択図】　　　　図１
2004031997.tif 000002
【特許請求の範囲】
【請求項１】
原稿を供給する給紙手段と、前記給紙手段によって供給される原稿を搬送する原稿搬送手段と、前記原稿搬送手段によって搬送される原稿上の画像を読み取る読取手段とを有し、前記読取手段は、それぞれ複数のフォトセンサが複数のブロックに分割されライン状に配列された密着型イメージセンサで、前記ブロックの境界に隣接する画素をその周囲の画素に応じて置き換えることを特徴とする画像読取装置。
【請求項２】
前記ブロックの境界に隣接する画素を主走査方向前後の画素の平均濃度を有する画素に置き換えることを特徴とする、請求項１の画像読取装置。
【請求項３】
前記ブロックの境界に隣接する画素をその画素と主走査方向に隣接する画素に置き換えることを特徴とする、請求項１の画像読取装置。
【請求項４】
原稿を供給する給紙手段と、前記給紙手段によって供給される原稿を搬送する原稿搬送手段と、前記原稿搬送手段によって搬送される原稿上の画像を読み取る読取手段とを有し、前記読取手段は、それぞれ複数のフォトセンサが複数のブロックに分割されライン状に配列された密着型イメージセンサで、前記ブロックの境界に隣接する画素を、画像を読み取るモードに応じて置き換えることを特徴とする画像読取装置。
【発明の詳細な説明】
【０００１】
【発明の属する技術分野】
本発明は、画像データの処理方法に関し、特にはデジタル複写機等の画像形成装置における読取画像データ、またはイメージスキャナ装置などにおける読取画像データの処理方法に関する。
【０００２】
【従来の技術】
近年、電子ファイリング装置の普及に伴い、その画像入力装置としての画像読取装置が注目されている。電子ファイリング装置の画像入力用に用いられる画像入力装置は、事務作業の効率化のため、より高速な読み取り処理が要求される。一方、一般のオフィスに広く普及させるためには、低価格化、小型化が不可欠である。
【０００３】
画像読取装置においては、原稿の画像を読み取るためにイメージセンサが用いられるが、このイメージセンサには、ＣＣＤイメージセンサと、密着型イメージセンサがある。これらにはそれぞれ長所、短所があり、ＣＣＤイメージセンサの場合には、高速読み取りが可能であるが、装置の小型化が困難でかつ高価である。また、密着型イメージセンサの場合には、装置の小型化が容易でかつ安価であるが、読み取り速度に難がある。
【０００４】
このような現状において、小型化・低価格化と高速化を両立させるべく、様々な工夫がなされているが、密着型イメージセンサを分割駆動して読み取り速度の高速化を図る方式が非常に有効である。
【０００５】
図７は、従来の画像読取装置における密着型イメージセンサを用いた読取部のブロック図である。図からも明らかなように、それぞれライン状に配列されたフォトセンサを有する４つの密着型イメージセンサ１００１、１００２、１００３、１００４を、原稿の主走査方向について直列に配置している。そして、各密着型イメージセンサ１００１、１００２、１００３、１００４を独立して同時に駆動して、原稿の１ラインの画像データを４つに分割して読み取る。各密着型イメージセンサ１００１、１００２、１００３、１００４からの出力はアナログスイッチ兼シフトレジスタ１００５においてシリアルデータに変換され、バッファ１００６へと書き込まれる。そして、バッファ１００６から読み出される際に正しい画素順に整列され、Ａ／Ｄ変換器などの画像処理回路へ出力される。
【０００６】
【発明が解決しようとする課題】
しかしながら上記のような分割駆動方式で得られた画像データは、図２で示したように、各イメージセンサの境界部分ですじのような異常画像が発生する場合があり、実用上問題があるデータとなってしまうという問題点を有していた。これは、各イメージセンサで主走査方向に分割して読み取られた画像信号を１ラインに合成する際に、アナログＳＷ等の切り替え時のわずかなタイミングずれや、切り替わった瞬間のバッファアンプの応答遅れ等が原因による。
【０００７】
本課題を解決する手段として、特開平８−２１４１２９号公報によれば、主走査方向にＮ個に分割された各データにその前後データの終端と先端部データを付加して画像処理し、付加した当該先終端部のデータを削除し各ブロックのデータのみを連続したデータとして出力する手段が提案されている。
【０００８】
この場合、イメージセンサをブロックごとに画像処理を行うため、一連の画像信号として生成されるまでに、時間を要してしまう。また、その際に前後に他ブロックのデータを付加して画像処理し、その後また画像を削除するような複雑な制御を要してしまう。
【０００９】
本発明は、上記問題点に鑑み、複数の密着型イメージセンサによって原稿の一ラインを分割して読み取る際に、各イメージセンサ間で画素の非連続部分が発生することを防止することによって、小型化、低価格化、高速化を図りながら、かつ高品質な読み取りを行うことができる画像読取装置を提供することを目的とする。
【００１０】
【課題を解決するための手段】
以上のような問題を解決するために、原稿を供給する給紙手段と、前記給紙手段によって供給される原稿を搬送する原稿搬送手段と、前記原稿搬送手段によって搬送される原稿上の画像を読み取る読取手段とを有し、前記読取手段は、それぞれ複数のフォトセンサが複数のブロックに分割されライン状に配列された密着型イメージセンサで、前記ブロックの境界に隣接する画素をその周囲の画素
に応じて置き換えることを特徴とする画像読取装置を提供する。
【００１１】
【発明の実施の形態】
（第１の実施例）
図１に、コンタクトセンサをイメージセンサとして使用した画像読取装置のスキャナ部の模式構成を示す。
【００１２】
同図において、走行体２１に搭載されたコンタクトセンサユニット６は、図示しない押圧機構により走行体２１に対して上方に押圧され、コロ２１ａ及びコロ２１ｂと、紙面と垂直方向の主走査方向の反対側にコロ２１ａ及びコロ２１ｂと対称に設けられたコロを介して、コンタクトガラス２０の下面に接し、コンタクトガラス２０上に載置された原稿Ｄと一定距離を保ち、コンタクトガラス２０の上面（そこに原稿Ｄが載置されていれば、原稿表面）のスキャンラインと交わる主走査方向の１ラインを読み取る。
【００１３】
走行体２１は、図示しない走行体駆動部と連結されたワイヤー２２により駆動されて、副走査方向Ａに移動する。これにより、コンタクトセンサユニット６により、原稿Ｄの画像を読み取ることができる。
【００１４】
コンタクトセンサユニットの構成は前記図７と同様なので、説明は省略する。
【００１５】
次に前記図２により示された異常画像の補正手段について説明する。
【００１６】
この場合、異常画像の発生する位置は、センサモジュール間の境界に発生するため、補正する位置はあらかじめわかっているため、特に検出する手段は必要としない。
【００１７】
図７のＡＤ変換器１００６によりデジタルデータに変換された画像データは、図示しない画像処理部内のメモリに格納される。このときに異常画像個所を以下の手段で補正しながらメモリに書き込む。
【００１８】
図３ａに異常画像部分を拡大した図を示す。ここで、副走査方向Ｂ列が異常画像部分である。その主走査方向両側のＡ列、Ｃ列の画素を用いて、補正画素列Ｂｈを生成する。
Ｂｈｎ＝（Ａｎ＋Ｃｎ）／２（ｎ：副走査画素位置）
上記、補正式で補正後の画像を図３ｂおよび図４に示す。
【００１９】
同様に、両側どちらかの画素でおきかえても同様の効果が得られる場合がある。図５に、Ｂ列の画素をＡ列の画素で置き換えた場合を示す。
【００２０】
（第２の実施例）
次に、画像モードによる補正方法に関して説明する。
【００２１】
補正する位置は、特に検知手段を用いず、各フォトセンサブロック間の境界に相当するアドレスの画素を補正対象としている。
【００２２】
画像モードが「文字モード」の場合、前記手段により、検知され保存されたゴミ、汚れの存在する主走査方向の位置に相当する画素のデータを、所定値に置き換える。
【００２３】
具体的には、一番明るい濃度に相当するデータにおきかえる。例えば、読み取った画像データを８ｂｉｔのデジタル画像で変換するシステムの場合、異常画像の存在する主走査方向の位置に相当する画素のデータを２５５に置き換える。
【００２４】
この場合、結果として画像は、上記のように置き換えた個所は白くなるため、副走査方向に白くスジが発生することになる。しかし、一般的に「文字モード」で使用される原稿は、白地に黒い文字で構成されている画像であることがほとんどであるため、「白スジ」は実用上、ほとんど問題にならない。
【００２５】
また、原稿の下地が中間長のような濃度を有する原稿の場合は、あらかじめ所定領域の平均濃度を測定しておき、その平均濃度で置き換えても同様の効果が得られる。画像モードが「写真モード」場合は、各フォトセンサブロック間の境界に相当する画素のデータを、周囲の画像データに置き換える。
【００２６】
この手法を第１２図から第１４図を利用し，簡単のため，扱う画像データを１画素１ビットすなわち白または黒の２値画像に限定して説明する。
【００２７】
補正領域の幅がＮである場合（Ｎ：自然数），図８に示す通り、補正領域の左右隣各Ｎ／２画素分の画素値を補正領域に当てはめる。この処理を主走査方向の各ライン毎に行なう。
【００２８】
補正領域の幅Ｎが奇数である場合，図９に示す通り，補正領域の左右隣各１画素の値を参照して，補正領域中央画素の値を決定する。左右隣の画素がどちらも黒なら，中央画素値も黒，どちらも白なら中央画素値も白とし，どちらか一方が黒で一方が白の場合は，白（両画素値のＡＮＤ）にするか黒（両画素値のＯＲ）にするか予め決めておく。この図の場合は，左右隣の画素値が異なるが，中央画素値は白，すなわち白の画素値を０，黒の画素値を１とした場合，両隣の画素値のＡＮＤをとることとしている。
【００２９】
補正領域が画像の端に存在して，補正領域の一方の隣にある参照画素となる画素数がＮ／２画素に満たない場合，図１０で示す補正処理を行なう。まず，第９図の▲１▼に示すように，参照画素数Ｎ／２以上がある側のＮ／２画素分の画素値を２回補正領域の画素にコピーする。Ｎが奇数の場合は，さらに補正領域隣１画素の画素値をコピーしておく。補正領域が画像の最端にある場合はここで処理は完了である。最端でない場合は，▲２▼の処理に進み，Ｎ／２に満たない画素数側の参照画素を隣の補正領域に１回コピーして，上書きする。
【００３０】
このようにして補正処理をした結果例を第７図：本発明の手法による補正をした結果に示す。
【００３１】
以上，１画素１ビットの２値デジタル画像に限定して説明を行なったが，１画素２ビット以上の多値デジタル画像にも同様の手段を適用できることは言うまでもない。
【００３２】
【発明の効果】
以上、説明したように、本発明によれば、原稿を移動させて読み取る装置における原稿ガラス等の読み取り経路内のゴミ・汚れの検知を行い、画像を補正する手段を有する画像読取装置において、画像モードにより画像補正手段を変更することにより、装置動作に影響与えることがなく、実使用に支障のない良好な画像を得る事が可能である。
【図面の簡単な説明】
【図１】コンタクトセンサをイメージセンサとして使用した画像読取装置のスキャナ部の模式構成。
【図２】異常画像の補正手段。
【図３】ａは異常画像部分を拡大した図。ｂは補正式で補正後の画像。
【図４】補正式で補正後の画像。
【図５】Ｂ列の画素をＡ列の画素で置き換えた場合。
【図６】
【図７】従来の画像読取装置における密着型イメージセンサを用いた読取部のブロック図。
【図８】補正領域の左右隣各Ｎ／２画素分の画素値を補正領域に当てはめる図。
【図９】補正領域の左右隣各１画素の値を参照して，補正領域中央画素の値を決定する図。
【図１０】補正処理。
【図１】
2004031997.tif 000003
【図２】
2004031997.tif 000004
【図３】
2004031997.tif 000005
【図４】
2004031997.tif 000006
【図５】
2004031997.tif 000007
【図６】
2004031997.tif 000008
【図７】
2004031997.tif 000009
【図８】
2004031997.tif 000010
【図９】
2004031997.tif 000011
【図１０】
2004031997.tif 000012
【手続補正書】
【提出日】平成15年9月11日(2003.9.11)
【手続補正１】
【補正対象書類名】明細書
【補正対象項目名】図面の簡単な説明
【補正方法】変更
【補正の内容】
【図面の簡単な説明】
【図１】
コンタクトセンサをイメージセンサとして使用した画像読取装置のスキャナ部の模式構成。
【図２】
異常画像の補正手段。
【図３】
ａは異常画像部分を拡大した図。ｂは補正式で補正後の画像。
【図４】
補正式で補正後の画像。
【図５】
Ｂ列の画素をＡ列の画素で置き換えた場合。
【図６】
従来の画像読取装置における密着型イメージセンサを用いた読取部のブロック図。
【図７】
補正領域の左右隣各Ｎ／２画素分の画素値を補正領域に当てはめる図。
【図８】
補正領域の左右隣各１画素の値を参照して，補正領域中央画素の値を決定する図。
【図９】
補正処理。


【手続補正２】
【補正対象書類名】図面
【補正対象項目名】全図
【補正方法】変更
【補正の内容】
【図１】
2004031997.tif 000013
【図２】
2004031997.tif 000014
【図３】
2004031997.tif 000015
【図４】
2004031997.tif 000016
【図５】
2004031997.tif 000017
【図６】
2004031997.tif 000018
【図７】
2004031997.tif 000019
【図８】
2004031997.tif 000020
【図９】
2004031997.tif 000021